Podtech/llm-jp-corpus-v4-ja_patent huggingface dataset:
(57)【要約】      （修正有）【課題】屋外で使用する催事用テント等の地表側に遮熱シートを取り付ける事により、熱中症対策に貢献できるテント遮熱構造を提供する。【解決手段】樹脂シートで作製された催事用テント２や日除け等の地表側に、アルミホイル等輻射熱に対して高反射率の素材を使用した遮熱シート４を取り付けたテント遮熱構造であって、遮熱シート４の周囲にハトメを付け、催事用テント２や日除け等のフレーム３に紐６で取り付けた。【選択図】図１
0003217537.tif 000002
【実用新案登録請求の範囲】
【請求項１】
樹脂や布で作製された催事用テントや日除け等の地表側に、アルミホイル等輻射熱に対して高反射率の素材を使用した遮熱シートを取り付けたテント遮熱構造
【請求項２】
アルミホイル等輻射熱に対して高反射率の素材を使用した遮熱シートの周囲にハトメを付け、催事用テントや日除け等のフレームに紐で取り付けたテント遮熱構造
【考案の詳細な説明】
【技術分野】
【０００１】  本考案は、屋外で使用される催事用テント等の地表側に遮熱シートを取り付ける事により、熱中症対策に貢献できるテント遮熱構造を提供するものである。
【背景技術】
【０００２】  屋外で使用される催事テントは、テント素地の表面に輻射熱を反射する素材をコーテイングしたり、或いはテント素地に反射材を混錬したりして太陽光を阻止している。
【考案の概要】
【考案が解決しようとする課題】
【０００３】  その為次のような問題があった。
屋外テントは、その性質上日除けが目的で、太陽光を吸収する素材が主流であった。しかし近年、温暖化により日射量が増え、テント素地が吸収する熱量の割合は大幅に増加しつつあり、テントの下でも非常に暑いという環境になりつつある。そこで、太陽光を反射する方法が種々考案されている。
例えば、テント素地に反射材を混錬したり、或いはテント素地表面に輻射熱を反射する素材をコーテイングする方法等が実施されている。
しかしながら、テント素地にて反射されても、透過する熱や吸収される熱等の大半は地表側に放射されるので、テント下での熱量は決して少なくは無く、熱中症の要因にもなる。
本考案は、これらの問題を解決する為になされたものである。
【課題を解決するための手段】
【０００４】  樹脂や布で作製された催事用テントや日除け等の地表側に、アルミホイル等輻射熱に対して高反射率の素材を使用した遮熱シートを取り付けたテント遮熱構造である。【０００５】  アルミホイル等輻射熱に対して高反射率の素材を使用した遮熱シートの周囲にハトメを付け、催事用テントや日除け等のフレームに紐で取り付けたテント遮熱構造である。
【図面の簡単な説明】
【０００６】
【図１】テントに遮熱シートを取り付けた破断図
【図２】遮熱シートの平面図
【考案を実施するための形態】
【０００７】  以下本考案を実施するための最良の形態について説明する。
屋外で使用するテント２に最も熱を与えるのは太陽からの放射エネルギー、所謂輻射熱である。この輻射熱は、一部がテント２表面で反射されるが、大半はテント素地１に吸収されるか又は透過して地表側に放射される。
テント素地１には、このテント素地１に吸収された輻射熱の他にも空気伝導熱や風による対流熱が同時に吸収され、伝導熱の形態をとってテント素地１の大気側から地表側に伝達される。
その後、テント素地１の地表側表面からは、再び伝導熱及び輻射熱の形態をとって、地表側に熱伝達される。この中で最も大きな熱は輻射熱で、全熱量の９０％以上となる。
従って、テント２を介して地表側に伝達される熱量は、この輻射熱とテント素地１を透過した輻射熱の和である。
輻射熱は、電磁波の形態をとってテント２内にいる人間に放射されるが、人間が暑さを感じる最も大きな要因となる。即ち、この輻射熱を阻止する事が、熱中症等の対策に効果的と考えられる。
【０００８】  本考案は、樹脂シートで作製された催事用テント２や日除け等の地表側に、アルミホイル等輻射熱に対して高反射率の素材を使用した遮熱シート４を取り付けたテント遮熱構造である。
【０００９】  前述もしたが、テント素地１に吸収された伝導熱は、テント素地１の地表側から９０％以上が輻射熱として地表側に放射される。
テント素地１の下側に、アルミホイル等輻射熱に対して高反射率の素材を使用した遮熱シート４を取り付けると、テント素地１から放射された輻射熱と透過した輻射熱の９５％以上が反射されテント素地１に戻される。従って、当該遮熱シート４の地表側にはわずか数パーセントしか熱は伝達されない。
この様にしてテント２の下側は、テント素地１から輻射熱が放射されない超日陰の空間にする事が出来る。
【００１０】  当該遮熱シート４は、不織布やガラス繊維等の片面或いは両面にアルミホイル等輻射熱に対して高反射率の素材を熱溶着したものである。
アルミホイル等輻射熱に対して高反射率の素材は、輻射熱の反射が目的であるから反射率の高いものが良く、一般には反射率９５％以上のものが使用されている。
当該遮熱シート４の厚みは、０．１ミリメートルから０．２ミリメートルの物が一般的である。厚みが薄いので折り畳みやすく、シートの周囲２０〜５０ミリメートルを織り込み７、アクリル製両面テープで両者を接着したり、或いはミシンで縫合したりして遮熱シート４周囲の強度を増している。
又、当該遮熱シート４の周囲には、３０〜５０センチ位の間隔にハトメ５が取り付けられている。更に、各ハトメ５には、テントフレーム３に取付る為の長さ２０センチメートル位の布製の紐がついている。
【００１１】  遮熱シート４の取り付けは、テントが組み立て完了後で、テント２内側から遮熱シート４のハトメ５に結ばれている固定紐６をテントフレーム３に順に結んで行う。
【考案の効果】
【００１２】  テント２の下は輻射熱が照射されない超日陰状態となり、体温以下の気温では暑さは余り感じられなくなる。又、体温以上に気温が上がっても、僅かの風が吹けば涼しさを感じられるようになる。
【符号の説明】
【００１３】１テント素地
２テント
３テントフレーム
４遮熱シート
５ハトメ
６固定紐
７織り込み
【図１】
0003217537.tif 000003
【図２】
0003217537.tif 000004
(57)【要約】      （修正有）【課題】人体にブラジャーを装着して運動した時にバストの揺れを軽減し、振れることによる不快感を押さえるブラジャーを提供する。【解決手段】一対のカップ部１と、一対の肩ストラップと、カップ部１の内側に位置せるバスト押さえパネル３と、フック部を有するバック部８とよりなり、カップ部１の上縁部４と土台部６、側縁部５の各々に縫い合わされるようにバスト押さえパネル３を設け、該バスト押さえパネル３がバストの上部を押さえるように位置する。【選択図】図３
0003217535.tif 000002
【実用新案登録請求の範囲】
【請求項１】
一対のカップ部と一対の肩ストラップと前記カップ部の内側に位置せるバスト押さえパネルとフック部を有するバック部とよりなり、前記バスト押さえパネルはカップ上縁部に縫い合わされてなるカップ押さえ部材を備えたブラジャー
【請求項２】
前記カップ部は、少なくとも両側にカップ側縁部と各下辺に土台部を備え、前記バスト押さえパネルはカップ上縁部とカップ側縁部に縫い合わされてなる前記請求項１記載のカップ押さえ部材を備えたブラジャー
【請求項３】
前記バスト押さえパネルは、乳頭より上に位置することを特徴とした前記請求項１及び２記載のカップ押さえ部材を備えたブラジャー
【請求項４】
前記バスト押さえパネルは、乳頭の周囲に位置し、下辺部はカップくり部に縫い合わされてなる前記請求項１、２及び３記載のカップ押さえ部材を備えたブラジャー
【考案の詳細な説明】
【技術分野】
【０００１】  本考案は、人体にブラジャーを装着して運動した時に、バストの揺れを軽減し揺れることによる不快感を押さえるようにしたものである。
【背景技術】
【０００２】  従来、ブラジャーはカップの裏側に、カップ部とは別にバストアップパネルを装着してバストをアップする効果を考えてきたものが提唱されている。例えば特開２００５−２８１９２０が挙げられる。【０００３】  また、前述のサイドパネルを前中心部でつなぎバストを寄せる効果を期待したものとして、特開２００７−３２１２４９、特開２００５−２０６９４９が挙げられる。
【考案の概要】
【考案が解決しようとする課題】
【０００４】  上記従来技術のブラジャーは、バストをアップするためにバストを中央に寄せたり持ち上げたりする効果が期待できたが、運動によりバストが上下に揺れる際の、上側への揺れを軽減出来ていない。【０００５】  運動する際のブラジャーとしては、スポーツブラジャーとして広く一般に存在しているが、スポーツブラジャーは、バスト全体を押さえてしまうため、バストに痛みや息苦しさを感じたり、また、バストの大きい女性はスポーツブラジャーからバストがはみ出してしまっていた。【０００６】  特にバストの大きい女性は、日常の動作でもバストが上下に揺れて、周囲の目が気になったり、バスト自体が痛くなったりしていた。またバスト全体が下垂する原因ともいわれている。
【課題を解決するための手段】
【０００７】  本考案は、一対のカップ部と一対の肩ストラップ部と前記カップの内側に位置せるバスト押さえパネルとフック部を有するバック部とよりなり、前記バスト押さえパネルはカップ上縁部に縫い合わされていることを特徴としている。【０００８】  更に、前記カップ部は、少なくとも両側にカップ側縁部と各下辺に土台部を備え、前記バスト押さえパネルは、カップ上縁部とカップ側縁部に縫い合わされたことを特徴としている。【０００９】  また、前記バスト押さえパネルは、乳頭より上に位置することを特徴としている。【００１０】  また、前記バスト押さえパネルは、乳頭の周囲に位置し、下辺部はカップくり部に縫い合わされてなることを特徴としている。
【考案の効果】
【００１１】  本考案のカップ押さえパネルを備えたブラジャーは、ブラジャー装着時、軽度の運動をしてもバストが上側に揺れ上がることが少なく、そのために起こるバスト全体の揺れを軽減することができる。【００１２】  また、カップ押さえパネルで、バスト全体を包む形状となり、バスト自体の安定性を高めることができる。
【図面の簡単な説明】
【００１３】
【図１】  本考案のカップ押さえ部材を備えたブラジャーの背面図
【図２】  本考案に相当する従来例を示す図
【図３】  本考案の着用図
【図４】  従来例の着用図
【図５】  本考案の実施例Ａ
【図６】  本考案の実施例Ｂ
【図７】  本考案の実施例Ｃ
【考案を実施するための形態】
【００１４】  本考案のブラジャーを、図１、図２に基づいて説明する。
図１は、本考案のブラジャーを内側から見た背面図、図２は従来例の要部を示す図面である。
【００１５】  本考案は、一対のカップ部１、１と、一対の肩ストラップ２、２と、前記カップ部の内側に位置せるバスト押さえパネル３、３と、上辺に位置する上縁部４、４と、脇側に位置する側縁部５、５、各下辺に位置する土台部６、６を備え、先端にフック部７、７を有するバック部８、８、カップ内側に位置するバストアップパネル９、９とより構成されている。
【００１６】  前記カップ部は、周囲は枠取りされ脇側には側縁部５、５、下辺には土台部６、６を備え、左右の土台部６、６は一部を延長して連結部となしてその一部を構成している。
【００１７】  前記バスト押さえパネル３、３は、パワーネットなどの通気性の良い布を使用し、カップ上縁部４、４に縫い合わされ、左右の前側寄りの土台部６、６に縫い合わされている。
【００１８】  また、バスト押さえパネルは、カップ側縁部５、５と脇側寄りのバストアップパネル９、９に縫い合わされている。
【００１９】  図２の従来例では、便宜上片方の図示ではあるが、カップ部１０の内側には、カップ側縁部１１と土台部１２に連結して縫合されたバストアップパネル１３を設けている。
【符号の説明】
【００２０】  １、１      カップ部
２、２      肩ストラップ
３、３      バスト押さえパネル
４、４      上縁部
５、５      側縁部
６、６      土台部
７、７      フック部
８、８      バック部
９、９      バストアップパネル
【図１】
0003217535.tif 000003
【図２】
0003217535.tif 000004
【図３】
0003217535.tif 000005
【図４】
0003217535.tif 000006
【図５】
0003217535.tif 000007
【図６】
0003217535.tif 000008
【図７】
0003217535.tif 000009
(57)【要約】      （修正有）【課題】直角二等辺三角形４個で図形パズルを作り、複数の人が同時に参加できるゲームとしても使える図形パズルを提供する。【解決手段】直角２等辺三角形４個を組み合わせて出来る台形、正方形、長方形、直角２等辺三角形、平行四辺形その１、平行四辺形その２の計６種類の異なる外形図を型抜きして６枚のシートを作り、１セットにして図形パズルとする。同時に複数の人が参加する事ができる。複数の人とは視力にハンデのある人も含む。【選択図】図１
0003217533.tif 000002
【実用新案登録請求の範囲】
【請求項１】
直角２等辺三角形４個を組み合わせて出来る台形、正方形、長方形、直角２等辺三角形、平行四辺形その１、平行四辺形その２、を型抜きして６枚のシートを作り１セットにした図形パズル。
【考案の詳細な説明】
【技術分野】
【００１】図形パズルに関するものです。
【背景技術】
【００２】三角形、台形、四辺形などバラバラな部材を組み合わせて、十字架の形を作ったりするパズルに属するものです。
【考案の概要】
【考案が解決しようとする課題】
【００３】従来の図形パズルは、完成目的図を目視して完成図形を断片化した部材によって目的図形を完成させます、完成目的図の外形図は複数ありますので、一つ完成目的図と同様になれば、部材をバラバラにして断片化し、他の完成目的図を目視して完成目的図と同様の図形を完成させる一人完結タイプのゲームなので多人数でも出来るゲームとしても使えるようにしたい。
【課題を解決するための手段】
【００４】完成目的図の外形図は複数ありますので、目的図ごとに部材と外形図を１シートにして複数シート製作します、複数シートありますので同時に複数の人がゲームに参加する事が可能になります。
【考案の効果】
【００５】複数あるシートの外形図が異なっていても、くり抜いてバラバラにした部材は、それぞれのシート共通なので互換性が有り、ゲームに適したパズルとして期待することができます。
【図面の簡単な説明】
【００６】
【図１】異なる６種類の外形図に合わせて、直角二等辺三角を４個それぞれに組み込んだ平面図。
【符号の説明】
【００７】Ａ、          長方形
Ｂ、          正方形
Ｃ、          台形
Ｄ、          平行四辺形その１
Ｅ、          直角２等辺三角形４個で作る直角２等辺三角形
Ｆ、          平行四辺形その２
【図１】
0003217533.tif 000003
(57)【要約】【課題】気泡を発生させて推進力を得る気泡発生装置を備えた浮遊装置を提供する。【解決手段】浮遊装置は、内部にチェンバー１２を有するハウジング１１と、推進装置２０とを備える。推進装置２０は、ハウジング１１のチェンバー１２内に配置され、水と係合して気泡を発生させる固形発泡剤２１を備える。また、ハウジング１１はロック１３を備え、推進装置２０はさらに固形発泡剤２１およびロック１３に係合するホルダー２２を備える。【選択図】図４
0003217594.tif 000002
【実用新案登録請求の範囲】
【請求項１】
内部チェンバーを有するハウジングと、
前記ハウジングの前記チェンバー内に配置され、水と係合して気泡を発生させる固形発泡剤を備えた推進装置と、
を備えることを特徴とする、浮遊装置。
【請求項２】
前記ハウジングはロックを備え、前記推進装置は前記固形発泡剤を備え、かつ前記ロックに係合するホルダーを備えることを特徴とする、請求項１に記載の浮遊装置。
【考案の詳細な説明】
【技術分野】
【０００１】
本考案は、プール上を浮遊し移動するための推進装置を有する浮遊装置に関する。
【背景技術】
【０００２】
典型的な浮遊玩具は、プールに浮かべて遊ぶためのものである。
浮遊玩具には推進装置としてコイルバネ作動型パドルホイールを備えたものがある。
【０００３】
しかし、浮遊玩具はコイルバネ作動型パドルホイールではスムーズに移動できないことがある。
【考案の概要】
【考案が解決しようとする課題】
【０００４】
本考案は、上記のような従来の浮遊玩具の問題を解消することを目的としている。
【課題を解決するための手段】
【０００５】
本考案は、その手段として、気泡を発生させて推進力を得る気泡発生装置を備えた浮遊装置を提供する。
【０００６】
本考案は、チェンバーを有するハウジングと、ハウジング内に配置され、水と反応して気泡を発生する固形発泡剤を備えた推進装置と、を備えた浮遊装置を提供する。
ハウジングはロックを有し、推進装置は固形発泡剤およびロックに係合するホルダーを有する。
【０００７】
ハウジングは潜水艦の形に成形されていてもよい。
ハウジングは魚の形に成形されていてもよい。
ハウジングは鳥の形に成形されていてもよい。
ハウジングは飛行機の形に成形されていてもよい。
ハウジングはボートの形に成形されていてもよい。
【図面の簡単な説明】
【０００８】
【図１】本考案の浮遊装置の斜視図である。
【図２】本考案の浮遊装置の斜視図である。
【図３】本考案の浮遊装置の分解斜視図である。
【図４】本考案の浮遊装置の断面図である。
【図５】本考案の別の実施形態の浮遊装置の斜視図である。
【図６】本考案の別の実施形態の浮遊装置の斜視図である。
【図７】本考案の別の実施形態の浮遊装置の斜視図である。
【図８】本考案の別の実施形態の浮遊装置の斜視図である。
【図９】本考案の別の実施形態の浮遊装置の斜視図である。
【図１０】本考案の別の実施形態の浮遊装置の斜視図である。
【考案を実施するための形態】
【実施例】
【０００９】
図１〜６に示すように、本浮遊装置は浮き１０と推進装置２０とを備える。
浮き１０は、ハウジング１１がプール上で浮遊するための区画であるチェンバー１２を有するハウジング１１を備える。
ハウジング１１のチェンバー１２内にはロック１３が設けられ、
ハウジング１１の後部には出口１４が形成され、
ハウジング１１の下部には通路１５が形成されている。
【００１０】
ハウジング１１は、水上に浮遊するプラスチック材料で作られている。
ハウジング１１は、潜水艦（図１〜５）、魚（図７）、アヒル（図８）、飛行機（図９）、またはボート（図１０）の形に形成されていてもよい。
【００１１】
推進装置２０は、ロック１３によってハウジング１１のチェンバー１２に固定される。
固形発泡剤２１と、ロック１３に係合するためのホルダー２２とを備える。
固形発泡剤２１は、気泡や二酸化炭素を発生させるためのクエン酸と重曹からなり、また、精油及びスパイスを含んでいてもよい。
固形発泡剤２１はホルダー２２によりハウジング１１のチェンバー１２内に吊り下げられている。
【００１２】
この浮遊玩具を使う場合、推進装置２０は、ロック１３によってハウジング１１のチェンバー１２内に固定されており、水が通路１５に流入してからハウジング１１のチェンバー１２に流入して固形発泡剤２１に接触し、固形発泡剤が気泡を発生させ、気泡がハウジング１１から出口１４を通って流出し、この浮遊玩具を推進させる。
【００１３】
ハウジング１１は、ジャイロの形に成形されていてもよい（図６）。
【００１４】
ハウジング１１はさらに、後部に取り付けられてハウジング１１の移動方向を制御するための舵を備えていてもよい。
【００１５】
以上、浮遊装置は、気泡を発生して推進力を得るための推進装置２０をハウジング１１内に備えている。
【００１６】
ここに開示した内容は、実施例を単に示したものであり、本考案から逸脱することなく行われる限り、部品の詳細な構成及び配置において多くの変更がなされてもよい。
【符号の説明】
【００１７】
１０  浮き
１１  ハウジング
１２  チェンバー
１３  ロック
１４  出口
１５  通路
２０  推進装置
２１  固形発泡剤
２２  ホルダー
【図１】
0003217594.tif 000003
【図２】
0003217594.tif 000004
【図３】
0003217594.tif 000005
【図４】
0003217594.tif 000006
【図５】
0003217594.tif 000007
【図６】
0003217594.tif 000008
【図７】
0003217594.tif 000009
【図８】
0003217594.tif 000010
【図９】
0003217594.tif 000011
【図１０】
0003217594.tif 000012
(57)【要約】      （修正有）【課題】柔軟で外見が良く、コンパクトで持ち運びにも便利で、老人、女子等も手軽に楽しく握力、指トレができる握力用具を提供する。【解決手段】握力指トレ用具３は、弾性伸縮部材を用いた伸縮性と弾力性を備えた輪１であって、その一部を太くして、握力をつけるための握部２を設けている。片方の手で握部２を握り、他方の手の指で輪１を引っ掛けて伸ばして指を鍛える。また、弾力のある握部２を何回も握って握力をつける。【選択図】図１
0003217600.tif 000002
【実用新案登録請求の範囲】
【請求項１】
弾性伸縮部材を用いた輪であって、その一部を太くして、握力をつけるための握部を設けたことを特徴とする握力、指トレ用具。
【考案の詳細な説明】
【技術分野】
【０００１】
本考案は弾性伸縮部材で握力、指のトレニングをするための用具に関する。
【背景技術】
【０００２】
従来の握力筋トレは、一般的に金属を使っている物が多く、腕力がある者がより握力をつける為に使用していた。
【考案の概要】
【考案が解決しようとする課題】
【０００３】
握力用具は一般的に金属を使っている物が多く、硬くて外見も良くなく単純な動作の為に面白くもなく、長く続かなかった。その為老人や女子等が、一寸握力を付ける為にもほとんど使用する事がなかった。
本考案は以上の問題点を解決するためになされたものである。 
【課題を解決するための手段】
【０００４】
弾性伸縮部材を用いた輪であって、その一部を太くして、握力をつけるための握り部を設けたことを特徴とする握力、指トレ用具である。
【考案の効果】
【０００５】
弾性伸縮部材を使い柔軟で外見も良くした。誰でも手軽に握力、指トレが楽しくできる。コンパクトで持ち運びにも便利である。弾性伸縮部材なので手を傷つける事もない。
老人、女子等も手軽に楽しく握力、指トレができる。上に投げてキャッチして遊びながら運動ができる。
【図面の簡単な説明】
【０００６】
【図１】本考案の握力、指トレ用具の斜視図
【符号の説明】
【０００７】
１  輪
２  握部
３．握力、指トレ用具
【考案を実施するための形態】
【０００８】
図１で、以下本考案の実施の形態を説明する。
本考案の握力、指トレ用具３は、ゴムなどの弾性伸縮部材を用いた伸縮性と弾力性を備えた輪１であって、その一部を太くして、握力をつけるための握部２を設けている。
片方で手で握部２を握り、他方の手の指で輪１を引っ掛けて伸ばして指を鍛える。
また、弾力のある握部２を何回も握って握力をつける。
握力、指トレ用具３を、上に投げてお手玉のようにキャッチして運動する。
【図１】
0003217600.tif 000003
(57)【要約】      （修正有） 【課題】目視で窓を閉め忘れることを防止する窓閉塞監視具を提供する。【解決手段】窓閉塞監視具１は、監視用シール１１が、車両７０の内部に設けられたバックミラー２３及び、監視用ミラー２１，２２に映る範囲において、監視用シール１１を車両７０の内側ガラス窓７６に貼り付けられ、室内灯６点灯時、車両７０ガラス窓７６が閉塞した状態で、視認可能であり、車両７０のガラス窓７６が開いた状態で、視認不可能な位置に貼り付けられて、上下方向に所定間隔で、複数貼り付けられている。【選択図】図１
0003217453.tif 000002
【実用新案登録請求の範囲】
【請求項１】
監視用シールは、車両の内部に設けられたバックミラー及び、監視用ミラーに映る範囲において、
監視用シールを車両の内側ガラス窓に貼り付けられ、
車両のガラス窓が閉塞した状態で、視認可能であり、
車両のガラス窓が開いた状態で、視認不可能な位置に貼り付けられて、
上下方向に所定間隔で、複数貼り付けられている、窓閉塞監視具。
【請求項２】
請求項１に記載の監視用ミラーは、フロントガラス付近に複数取り付けられ、任意の方向に、自在に動く窓閉塞監視具。
【考案の詳細な説明】
【技術分野】
【０００１】
窓の閉塞監視に関する。
【背景技術】
【０００２】
運転者が駐車場で駐車券を得る為に、窓の開閉は運転者の操作により、行われるが、乗降時に他の操作に気をとられ、窓を閉めることを失念する場合がある。
【考案の概要】
【考案が解決しようとする課題】
【０００３】
目視で窓を閉め忘れることを防止することを目的とする。
【課題を解決するための手段】
【０００４】
車両の内部に設けられたバックミラーと、監視用ミラーに映る範囲において、
監視用シールは車両の内側ガラス窓に貼り付けられ、
車両のガラス窓が閉塞した状態で、監視可能であり、
車両のガラス窓が開放した状態で、視認不可能な位置に貼り付けられており、、
上下方向に所定間隔で、複数貼り付けられており、室内灯を増光量化して、確認率増大する窓の閉塞監視具である。
【０００５】
窓監視用ミラーがフロントガラスに取り付けて、自在に動く。
【考案の効果】
【０００６】
運転手の補助監視として、窓閉塞監視を乗降車時に補助する為のものであり、極めて安価で確実に、窓の閉塞監視を提供できる。
【図面の簡単な説明】
【０００７】
【図１】本考案の実施形態を示す図であって、監視用シールの貼りつけた位置を確認率の増大のため室内灯を増光量化して、車両の平面図により説明する図である。
【図２】本考案の実施形態を示す図であって、図１に示す運転者の監視する視線の状況を、車両の側面図により説明する図である。
【図３】本考案の実施形態を示す図であって、図１に示す車両の後面図により説明する図である。
【図４】本考案の実施形態を示す図であって、監視ミラーを説明する平面図である。
【図５】本考案の実施形態を示す図であって、監視ミラーの正面図である。
【図６】本考案の実施形態を示す図であって、  監視ミラーの詳細図である。
【考案を実施するための形態】
【０００８】
窓閉塞監視具は監視用シール１１が、車両７０の内部に設けられたバックミラー２３及び、監視用ミラー２１，２２に映る範囲において、
監視用シール１１を車両７０の内側ガラス窓７６に貼り付けられ、
室内灯６点灯時、車両７０ガラス窓７６が閉塞した状態で、視認可能であり、
車両７０のガラス窓７６が開いた状態で、視認不可能な位置に貼り付けられて、
上下方向に所定間隔で、複数貼り付けられている。
【０００９】
なお、全ての監視用シール１１を確認する位置に、室内灯６を増光量として、確認時に点灯してもよい。
【００１０】
窓監視用ミラー２１・２２は同一視線上に貼りついてる。
【００１１】
監視用シール１１の室内側は、樹脂又は紙製に蛍光色のシール等の径は約10ｍｍとし、状況に拠り形状の増減変化有る形態とする。
【００１２】
監視用シール１１は、車両７０の右側前ドア７１のガラス窓７６の後端側の下方に貼り付けられている、
運転手は監視ミラー２１で確認する。
【００１３】
監視用シール１１は、車両７０の右側後ドア７２のガラス窓７６の前端側の下方に貼り付けられている、
運転手は監視ミラー２１で確認する。
【００１４】
監視用シール１１は、車両７０の左側前ドア７３のガラス窓７６の後端側の下方に貼り付けられている、
運転手は監視ミラー２２で確認する。
【００１５】
監視用シール１１は、車両７０の左側前ドア７４のガラス窓７６の前端側の下方に貼り付けられている、
運転手は監視ミラー２２で確認する。
【００１６】
監視用シール１１は、車両７０の後側ドア７５のガラス窓７６の中央側の下方に貼り付けられている、
運転手はバックミラー２３で確認する。
【００１７】
確認率増大のため、室内灯を増光量化してもよい。
【符号の説明】
【００１８】
１          窓閉塞監視具        
１１         監視用シール  
２１・２２   監視用ミラー
２３        バックミラー
３          フロントガラス
４          車両の前方天井
５          運転手の頭部略図
６          室内灯
７０        車両  
７１        右側前ドア
７２        右側後ドア  
７３        左側前ドア
７４        左側後ドア
７５        後部ドア
７６        ガラス窓
【図１】
0003217453.tif 000003
【図２】
0003217453.tif 000004
【図３】
0003217453.tif 000005
【図４】
0003217453.tif 000006
【図５】
0003217453.tif 000007
【図６】
0003217453.tif 000008
(57)【要約】      （修正有）【課題】しゃもじを覆っているケースからしゃもじを出し入れ出来るようレバーがあり、レバーを引いてしゃもじをケースの中にしまうとしゃもじの両面にくっついた米粒をきれいに除去でき、同時に衛生的に保管出来るしゃもじを提供する。【解決手段】しゃもじは下記（１）〜（６）で構成される。（１）しゃもじ１を覆っているケース３があり、（２）しゃもじの持ち手部分にしゃもじを出し入れできるようレバー４を付け、（３）しゃもじに米粒がつかないようにしゃもじ部分を出し入れし、（４）部品２により米粒をきれいに除去する事が出来、（５）ホコリなどが入らないよう、（６）しゃもじの出入れ部分が閉まった状態で保管出来る。【選択図】図１
0003217414.tif 000002
【実用新案登録請求の範囲】
【請求項１】
しゃもじにおいて、
（１）しゃもじを覆っているケースがあり、
（２）しゃもじの持ち手部分にしゃもじを出し入れできるようレバーを付け、
（３）しゃもじに米粒がつかないようにしゃもじ部分をケースから出し入れし、
（４）米粒をきれいに除去する事が出来、
（５）ホコリなどが入らないよう、
（６）しゃもじの出入れ部分が閉まった状態で保管出来るしゃもじ。
【考案の詳細な説明】
【技術分野】
【０００１】本考案は、しゃもじに付いた米粒を除去し衛生的に保管する。
【背景技術】
【０００２】従来のしゃもじは、しゃもじで釜を軽く叩いたり、水につけておいたりしても、若干の米粒が残っているという短所がある。【０００３】従来のしゃもじは、保管方法とかくしゃもじ使用後は、立てて置いておいたり、特定の場所に置いておくしかなかった。
【先行技術文献】
【特許文献】
【０００４】
【特許文献１】特開２０００−１１６５４９
【特許文献２】実全昭５９−１３９２３９
【考案の概要】
【考案が解決しようとする課題】
【０００５】本考案は、以上のような欠点に鑑み、しゃもじを覆っているケースからしゃもじを出し入れ出来るようレバーがあり、レバーを引いてしゃもじをケースの中にしまうとしゃもじの両面にくっついた米粒を落とすのと、同時に衛生的に保管出来る事を目的としている。
【課題を解決するための手段】
【０００６】上記目的を達成するために、本考案は、
（１）しゃもじを覆っているケースがあり、
（２）しゃもじの持ち手部分にしゃもじを出し入れできるようレバーを付け、
（３）しゃもじに米粒がつかないようにしゃもじ部分を出し入れし、
（４）米粒をきれいに除去する事が出来、
（５）ホコリなどが入らないよう、
（６）しゃもじの出入れ部分が閉まった状態で保管出来るしゃもじ。
【考案の効果】
【０００７】以上の説明から明らかなように、本考案にあっては次に列挙する効果が得られる。スライド状で、持ち手部分にあるレバーを引いてしゃもじをケースの中にしまうとしゃもじの両面にくっついた米粒をきれいに落とすのと、同時に衛生的に保管出来、ホコリなどが入らないようなる。
【図面の簡単な説明】
【０００８】
【図１】本考案製品の分離状態の写真。
【図２】本考案製品の組み立てての使用前の写真。
【図３】本考案製品の使用が出来る準備完了の写真。
【図４】本考案製品の正面から見た写真。
【図５】本考案製品の側面から見た写真。
【図６】本考案製品の背面から見た写真。
【図７】本考案製品のしゃもじから米粒をきれいに除去する部分の写真。
【考案を実施するための形態】
【０００９】以下、本考案の実施の形態を図に基づいて説明する。
【００１０】図１は、本考案製品をきれいに洗うことが出来るように分解した状態である。
図２は、製品の組み立ての写真でしゃもじのレバーを引いてしゃもじをケースの中にしまった状態である。
図３は、製品のしゃもじを覆っているケースからしゃもじを出した状態である。
図４は、製品の正面から見た部分である。
図５は、製品の側面から見た部分である。
図６は、製品の背面から見た部分である。
図７は、製品のしゃもじから米粒をきれいに除去する部分。
【産業上の利用可能性】
【００１１】本考案は、一般家庭、レストラン等、食事をする所で利用される。
【符号の説明】
【００１２】１  しゃもじ部分
２  しゃもじの両面から米粒をきれいに除去する部分
３  しゃもじを覆っているケースの部分
４  しゃもじのレバー部分
５  ケースの出入り部分が横もしっかり閉まっているのでホコリが入らない。
【図１】
0003217414.tif 000003
【図２】
0003217414.tif 000004
【図３】
0003217414.tif 000005
【図４】
0003217414.tif 000006
【図５】
0003217414.tif 000007
【図６】
0003217414.tif 000008
【図７】
0003217414.tif 000009
(57)【要約】【課題】アクセサリー本体の装飾美を損なうことなく、目視で紫外線量を容易に判断することができる機能を備えるアクセサリーを提供する。【解決手段】アクセサリー１０は、被服や履物等に着脱することができるもので、薄布等からなる円形状の支持シート１の表面に装飾部材として例えば花弁を模した複数の輪状リボン２を中心部から放射状に延びるように積層し、輪状リボン２の上面にプレート状の紫外線変色性樹脂成形体３を装着したものである。紫外線変色性樹脂成形体３は、最上層の輪状リボン２の上面か、下層であっても、露出している輪状リボン２の上面に取り付けられることが、目視で紫外線量を容易に判断する上で好ましい。【選択図】図１
0003217461.tif 000002
【実用新案登録請求の範囲】
【請求項１】
支持シートと、
支持シートの表面に装着された装飾部材と、
装飾部材の上面の一部に重ねて装着されたプレート状の紫外線変色性樹脂成形体と、を備えることを特徴とするアクセサリー。
【請求項２】
前記装飾部材として複数のリボンを積層し、前記紫外線変色性樹脂成形体は最上層のリボンの上面か、もしくは露出している下層のリボンの上面に装着されていることを特徴とする請求項１に記載のアクセサリー。
【請求項３】
前記支持シートの裏面に取り付けられた開閉フックを備えることを特徴とする請求項１または２に記載のアクセサリー。
【請求項４】
前記紫外線変色性樹脂成形体は紫外線変色性物質として、フォトクロミック染料を用いて構成されたことを特徴とする請求項１乃至３のいずれかに記載のアクセサリー。
【考案の詳細な説明】
【技術分野】
【０００１】
本考案は、紫外線量を目視で判断することができる紫外線変色樹脂成形体を備えたアクセサリーに関する。
【背景技術】
【０００２】
紫外線が肌の老化やトラブルを引き起こすことが広く知られている。特許文献１には、フォトクロミック染料を用いれば、色の変化の確認によって紫外線の強度を目視で判断することが可能であり、係る性質を有するフォトクロミック染料を含有する樹脂成形体において、上述の色変化が生じることから、紫外線変色性樹脂成形体、殊に紫外線変色性物質としてフォトクロミック染料を用いた樹脂成形体によれば、容易に紫外線量を判断することが可能となること、更には係る紫外線変色性樹脂成形体を用いて、ボタン、線ファスナーのスライダー、ネックレスパーツ、ブレスレットパーツなどの被服や履物、アクセサリー等の身体装着物構成体を成形すれば、ことさら紫外線変色性樹脂成形体を持ち歩かなくとも、身体に装着しているこれら樹脂成形体の変色を目視するだけで、容易に紫外線量を判断することが可能となることが記載されている。
【先行技術文献】
【特許文献】
【０００３】
【特許文献１】特開２０１４−１５５１０号公報
【考案の概要】
【考案が解決しようとする課題】
【０００４】
引用文献１には紫外線変色性樹脂成形体を用いて、アクセサリー等を成形することが記載されているが、その詳細な構成については明らかにされていない。
【０００５】
そこで、本考案は、アクセサリー本体の装飾美を損なうことなく、目視で紫外線量を容易に判断することができる機能を備えるアクセサリーを提供することを目的とする。
【課題を解決するための手段】
【０００６】
本考案のアクセサリーは、支持シートと、支持シートの表面に装着された装飾部材と、装飾部材の上面の一部に重ねて装着されたプレート状の紫外線変色性樹脂成形体と、を備えることを特徴とする。
【考案の効果】
【０００７】
本考案のアクセサリーは、プレート状の紫外線変色性樹脂成形体を装飾部材の上面の一部に重ねて装着したので、アクセサリー本体である装飾部材の装飾美を損なうことなく、目視で紫外線量を容易に判断することができる。また、支持シートの裏面に開閉フックを取り付ければ、被服や履物等に容易に着脱することができる。
【図面の簡単な説明】
【０００８】
【図１】本考案の実施形態によるアクセサリーの平面図である。
【図２】本考案の実施形態によるアクセサリーの背面図である
【図３】図１のＸ−Ｘ線における断面図である。
【図４】本考案の実施形態によるアクセサリーが装着された靴の平面図である。
【考案を実施するための形態】
【０００９】
次に、本考案の実施形態によるアクセサリーを図１乃至図４に基づいて説明する。アクセサリー１０は、被服や履物等に着脱することができるものであって、薄布等からなる円形状の支持シート１の表面に装飾部材として、例えば花弁を模した複数の輪状リボン２を中心部から放射状に延びるように積層して装着し、輪状リボン２の上面の一部に重ねてプレート状の紫外線変色性樹脂成形体３を装着したものである。紫外線変色性樹脂成形体３は、最上層の輪状リボン２の上面か、下層であっても、露出している輪状リボン２の上面に装着されることが、目視で紫外線量を容易に判断する上で好ましい。
【００１０】
複数の輪状リボン２は支持シート１に縫い付けられるか、もしくは接着剤で相互に接着される。紫外線変色性樹脂成形体３は、輪状リボン２の上面に接着剤で接着されるか、もしくはピン等で固定される。また、輪状リボン２の代わりに、ストレート状のリボンを用いてもよい。
【００１１】
紫外線変色性樹脂成形体３は、ポリエチレン樹脂、ポリプロピレン樹脂等の熱可塑性樹脂に紫外線変色物質として例えばフォトクロミック染料を混入して成形したものである。
アクセサリー１０は、プレート状の紫外線変色性樹脂成形体３を輪状リボン２の上面の一部に重ねて装着したので、輪状リボン２の装飾美を損なうことがなく、その色変化を目視で観察することにより、紫外線量を容易に判断することができる。
【００１２】
また、支持シート１の裏面に開閉フック４を取り付けることにより、被服や履物等に容易に着脱することができる。図４にはアクセサリー１０を靴に装着した状態を示してある。
【００１３】
この場合、図３に示すように、支持シート１の裏面にフック収納用シート１ａを袋状に接着し、開閉フック４の固定金具部分を支持シート１の裏面とフック収納用シート１ａの間の袋部に挿入するか埋め込むことで、開閉フック４を取り付けることができる。
【符号の説明】
【００１４】
１  支持シート
２  輪状リボン
３  紫外線変色性樹脂成形体
４  開閉フック４
１０  アクセサリー
２０  靴
【図１】
0003217461.tif 000003
【図２】
0003217461.tif 000004
【図３】
0003217461.tif 000005
【図４】
0003217461.tif 000006
(57)【要約】      （修正有）【課題】手首に容易に装着することができ、目視で紫外線量を容易に判断することができるリストバンドを提供する。【解決手段】リストバンド１０は、可撓性を有するシート状の紫外線変色性樹脂成形体１の両端にバンド２を着脱自在に接続したものである。バンド２は、ゴムバンドや、鎖状バンドである。紫外線変色性樹脂成形体１とバンド２との接続部３は、コの字状の接続金具を紫外線変色性樹脂成形体１の端部に嵌め込んでボルトとナットで締結し、コの字状金具の外側端面にバンド２を接続したものである。【選択図】図１
0003217463.tif 000002
【実用新案登録請求の範囲】
【請求項１】
可撓性を有するシート状の紫外線変色性樹脂成形体と、
紫外線変色性樹脂成形体の両端に着脱自在に接続されたバンドと、を備えることを特徴とするリストバンド。
【請求項２】
前記紫外線変色性樹脂成形体は紫外線変色性物質として、フォトクロミック染料を用いて構成されたことを特徴とする請求項１に記載の靴紐付属品。
【考案の詳細な説明】
【技術分野】
【０００１】
本考案は、紫外線量を目視で判断することができる紫外線変色樹脂成形体を備えたリストバンドに関する。
【背景技術】
【０００２】
紫外線が肌の老化やトラブルを引き起こすことが広く知られている。特許文献１には、フォトクロミック染料を用いれば、色の変化の確認によって紫外線の強度を目視で判断することが可能であり、係る性質を有するフォトクロミック染料を含有する樹脂成形体において、上述の色変化が生じることから、紫外線変色性樹脂成形体、殊に紫外線変色性物質としてフォトクロミック染料を用いた樹脂成形体によれば、容易に紫外線量を判断することが可能となること、更には係る紫外線変色性樹脂成形体を用いて、ボタン、線ファスナーのスライダー、ネックレスパーツ、ブレスレットパーツなどの被服や履物、アクセサリー等の身体装着物構成体を成形すれば、ことさら紫外線変色性樹脂成形体を持ち歩かなくとも、身体に装着しているこれら樹脂成形体の変色を目視するだけで、容易に紫外線量を判断することが可能となることが記載されている。
【先行技術文献】
【特許文献】
【０００３】
【特許文献１】特開２０１４−１５５１０号公報
【考案の概要】
【考案が解決しようとする課題】
【０００４】
引用文献１には紫外線変色性樹脂成形体を用いて、ブレスレット等を成形することが記載されているが、その詳細な構成については明らかにされていない。
本考案は、手首に容易に装着することができ、目視で紫外線量を容易に判断することができるリストバンドを提供することを目的とする。
【課題を解決するための手段】
【０００５】
本考案のリストバンドは、可撓性を有するシート状の紫外線変色性樹脂成形体と、
紫外線変色性樹脂成形体の両端に着脱自在に接続されたバンドと、を備えることを特徴とする。
【考案の効果】
【０００６】
本考案のリストバンドは、手首に容易に装着することができ、目視で紫外線量を容易に判断することができる。
【図面の簡単な説明】
【０００７】
【図１】本考案の実施形態によるリストバンドの平面図である。
【図２】本考案の実施形態によるリストバンドの接続部の拡大側面図である。
【考案を実施するための形態】
【０００８】
次に、本考案の実施形態によるリストバンド１０を図１及び図２に基づいて説明する。リストバンド１０は、可撓性を有するシート状の紫外線変色性樹脂成形体１の両端にバンド２を着脱自在に接続したものであり、全体としてリング状になっている。バンド２は、手首に巻き付けることができる帯状体または紐状体であり、ゴム紐や、鎖、チェーン等である。図１及び図２においては、一例としてバンド２は鎖としてある。
【０００９】
紫外線変色性樹脂成形体１とバンド２との接続部３は、例えば、図３に示すように、断面コの字状の接続金具３ａを紫外線変色性樹脂成形体１の端部に嵌め込んでボルト３ｂとナット３ｃで締結し、接続金具３ａの外側端面にバンド２を接続したものである。接続部３の一方または両方はフック（開閉式フックを含む）で構成してもよい。
【００１０】
紫外線変色性樹脂成形体１は、ポリエチレン樹脂、ポリプロピレン樹脂等の熱可塑性樹脂に紫外線変色物質として例えばフォトクロミック染料を混入して細長のシート状に成形したものである。
【００１１】
リストバンド１０は手首に容易に装着することができ、シート状の紫外線変色性樹脂成形体１の色変化を目視で観察することにより、紫外線量を容易に判断することができる。また、シート状の紫外線変色性樹脂成形体１のシート表面に文字や図形を描くか、成形することにより、ファッション性を高めることもできる。
【符号の説明】
【００１２】
１  紫外線変色性樹脂成形体１
２  バンド
３  接続部
３ａ  コの字状の接続金具
３ｂ  ボルト
３ｃ  ナット
１０  リストバンド
【図１】
0003217463.tif 000003
【図２】
0003217463.tif 000004
(57)【要約】      （修正有）【課題】靴に容易に装着することができ、目視で紫外線量を容易に判断することができる靴紐附属品を提供する。【解決手段】靴紐附属品は、靴紐４を挿通して靴に装着できる附属品であって、プレート状の紫外線変色性樹脂成形体１の両端に靴紐挿通孔２，３を開口してなるものである。紫外線変色性樹脂成形体１は、ポリエチレン樹脂、ポリプロピレン樹脂等の熱可塑性樹脂に紫外線変色物質として例えばフォトクロミック染料を混入してプレート状に成形したものである。【選択図】図１
0003217462.tif 000002
【実用新案登録請求の範囲】
【請求項１】
両端に靴紐挿通孔が開口されたプレート状の紫外線変色性樹脂成形体からなることを特徴とする靴紐付属品。
【請求項２】
前記紫外線変色性樹脂成形体は紫外線変色性物質として、フォトクロミック染料を用いて構成されたことを特徴とする請求項１に記載の靴紐付属品。
【考案の詳細な説明】
【技術分野】
【０００１】
本考案は、紫外線量を目視で判断することができる紫外線変色樹脂成形体を備えた靴紐附属品に関する。
【背景技術】
【０００２】
紫外線が肌の老化やトラブルを引き起こすことが広く知られている。特許文献１には、フォトクロミック染料を用いれば、色の変化の確認によって紫外線の強度を目視で判断することが可能であり、係る性質を有するフォトクロミック染料を含有する樹脂成形体において、上述の色変化が生じることから、紫外線変色性樹脂成形体、殊に紫外線変色性物質としてフォトクロミック染料を用いた樹脂成形体によれば、容易に紫外線量を判断することが可能となること、更には係る紫外線変色性樹脂成形体を用いて、ボタン、線ファスナーのスライダー、ネックレスパーツ、ブレスレットパーツなどの被服や履物、アクセサリー等の身体装着物構成体を成形すれば、ことさら紫外線変色性樹脂成形体を持ち歩かなくとも、身体に装着しているこれら樹脂成形体の変色を目視するだけで、容易に紫外線量を判断することが可能となることが記載されている。
【先行技術文献】
【特許文献】
【０００３】
【特許文献１】特開２０１４−１５５１０号公報
【考案の概要】
【考案が解決しようとする課題】
【０００４】
本考案は、靴に容易に装着することができ、目視で紫外線量を容易に判断することができる靴紐附属品を提供することを目的とする。
【課題を解決するための手段】
【０００５】
本考案の靴紐附属品は、両端に靴紐挿通孔が開口されたプレート状の紫外線変色性樹脂成形体からなることを特徴とする。
【考案の効果】
【０００６】
本考案の靴紐附属品は、靴紐を挿通して目視しやすい靴の先端中央位置に自然に装着することができ、紫外線量を容易に判断することができる。
【図面の簡単な説明】
【０００７】
【図１】本考案の実施形態による靴紐附属品の平面図及び側面図である。
【図２】靴紐及び靴紐附属品が装着された靴の部分平面図である。
【考案を実施するための形態】
【０００８】
次に、本考案の実施形態による靴紐附属品１０を図１及び図２に基づいて説明する。靴紐附属品１０は、靴紐を挿通して靴に装着できる附属品であって、プレート状の紫外線変色性樹脂成形体１の両端に靴紐挿通孔２，３を開口してなるものである。
【０００９】
紫外線変色性樹脂成形体１は、ポリエチレン樹脂、ポリプロピレン樹脂等の熱可塑性樹脂に紫外線変色物質として例えばフォトクロミック染料を混入してプレート状に成形したものである。
【００１０】
靴紐４は靴紐挿通孔２，３を介して、紫外線変色性樹脂成形体１の表側が露出するように挿入される。図２は、靴紐附属品１０に挿通された靴紐４を靴１０に装着した状態を示す図である。
【００１１】
このように、靴紐附属品１０は目視しやすい靴１０の先端中央位置に自然に装着することができ、その色変化を目視で観察することにより紫外線量を容易に判断することができる。また、プレート状の紫外線変色性樹脂成形体１のプレート面に文字（例えば、靴のブランド名）や図形を描くか、成形することにより、ファッション性を高めることもできる。
【符号の説明】
【００１２】
１  紫外線変色性樹脂成形体
２、３  靴紐挿通孔
４  靴紐
１０  靴
【図１】
0003217462.tif 000003
【図２】
0003217462.tif 000004
(57)【要約】      （修正有）【課題】取手付きのポリ袋をゴミ袋として容器に掛けたとき、袋が安定すると共に容器からはみ出した余分な部分は、長方形の先端の波状部分に挟むことにより見栄えがよく、シンク内がスッキリしたものになるゴミ入れ容器を提供する。【解決手段】台所のシンク内で使うごみ入れ容器１において、逆円錐台の容器であって、底分部を有し、底部には穴を設け、側面に長方形部材２の一端を容器の底近傍に固定し、長方形部材２の他端を波状形状の少なくとも一部が容器の側面に接触または側面近傍にくるように固定した。【選択図】図１
0003217408.tif 000002
【実用新案登録請求の範囲】
【請求項１】
逆円錐台の形に底を取付けて底になる部分に穴をあけて、長方形の先端に波状にしたものを側面の下方にとりつけた容器で、台所ででたゴミを入れるものである。上記の容器に取手付きのポリ袋をかけたときにできる余分な部分は、長方形の波状のところに挟み込むことができ、また挟み込んだポリ袋部分の取り外しも簡単であるところを特徴とする台所のシンク内で使う容器でゴミ入れである。
【考案の詳細な説明】
【技術分野】
【０００１】本考案は、逆円錐台の形の底面に底を作り、長方形の先端に波状を作ったものを側面の下方に取り付けた、台所のシンク内で出たゴミを入れる容器に関するものである。
【背景技術】
【０００２】取手付きのあるポリ袋は台所でゴミ袋として使うと台所のシンク内で型崩れして使いにくかった。
【考案の概要】
【考案が解決しようとする課題】
【０００３】台所のシンク内で使うゴミ入れとして使う色々な容器や袋を使っているが取手付きのポリ袋をゴミ入れとして使うと型崩れして、ポリ袋の余分な部分がシンク内に飛び出したりしてシンク内のスペースが狭く見栄えが悪くなっていた。台所のシンク内で使う容器の形に工夫をする事により、前述の欠点を解決さようとした考案である。
【課題を解決するための手段】
【０００４】本考案は、逆円錐台の形に底を取付けて底になる部分に穴をあけ、長方形の先端に波状にしたものをその容器の下方の側面にとりつけた容器で、逆円錐台の容器に取手付きのポリ袋をかけたときにできる余分な部分は、長方形の波状のとこに挟み込み、ポリ袋の取り外しも簡単にできることにより問題を解決している。
【考案の効果】
【０００５】取手付きのポリ袋をゴミ袋として容器に掛けたとき、袋が安定すると共に容器からはみ出した余分な部分は、長方形の先端の波状部分に挟むことにより見栄えがよく、シンク内がスッキリしたものになる。容器の底に穴を開けているので水が抜けて容器に水が溜まらない。更なる効果として他のポリ袋も使える。
【図面の簡単な説明】
【０００６】
【図１】本考案の台所のシンク内で使う小さなゴミ箱の実施例である。
【図２】長方形の先端を波状にした部分の図である。
【考案を実施するための形態】
【０００７】逆円錐台状の容器に取手付きのポリ袋をかける。この容器からはみ出した余分な部分は下方にある長方形状の波状部分に挟み込む。台所で出たゴミを入れる。ポリ袋を外すときは上向きに引っ張れば簡単に外れる。
【実施例】
【０００８】以下、添付図面に従って実施例を説明する。
１は耐久性のあるプラスチック等適宜素材にて形成された円錐形に底をつけ、底に穴を開けた入れ物に、長方形の形２を接着したものである。【０００９】２は耐久性のあるプラスチック等適宜素材にて形成された長方形に波状を作ったものである。【００１０】本考案は上述のごとき構成からなるものである。
この逆円錐台状の容器に取手付きビニール袋をかけると余分な部分は、長方形部分へ挟みこむ事により見栄えもよく、ポリ袋が型崩れする事なく使用できる。
【符号の説明】
【００１１】１  ゴミ入れ本体
２  ポリ袋を挟み込む長方形部分
【図１】
0003217408.tif 000003
【図２】
0003217408.tif 000004
【手続補正書】
【提出日】平成30年5月2日(2018.5.2)
【手続補正１】
【補正対象書類名】実用新案登録請求の範囲
【補正対象項目名】請求項１
【補正方法】変更
【補正の内容】
【請求項１】
台所のシンク内で使うごみ入れ容器において、逆円錐台の容器であって、底分部を有し、前期底部には穴を設け、側面に長方形部材の一端を容器の底近傍に固定し、前期長方形部材の他端を波状形状の少なくとも一部が容器の側面に接触または側面近傍にくるように固定したことを特徴とするゴミいれ容器。